(57)【要約】【課題】このグリルスタンドを使用しない時には、折り畳むことができ、包装材を節約し、運送コストを節約する他に広げた時、構造全体が安定している折畳み式バーベキューグリルスタンドを提供する。【解決手段】折畳み式バーベキューグリルスタンドは、グリルスタンドと焼き網から構成され、グリルスタンドは二つの「口」字型フレーム体から構成され、その二つのフレーム体を相互に嵌合し、嵌合後両側の適する高さで一体に枢設する。二つのフレーム体を前後に開くと、グリルスタンドはＸ形状になる。グリルスタンドの内のひとつのフレーム体は最上端箇所近くに枢設孔を設置し、別のフレーム体最上端には係止孔が設置される。焼き網の周辺両端には枢設柱が凸設され、それをグリルスタンドのひとつのフレーム体の最上端近くに設置した枢設孔に枢設して一体にする。その位置の相対する周辺両端には下向きの掛合い体が設置され、グリルスタンドの別のフレーム体に設置した係止孔と相互に掛合いして定位する。【選択図】図１
0003123191.tif 000002
【実用新案登録請求の範囲】
【請求項１】
焼き網とグリルスタンドから構成され、そのうちグリルスタンドは二つの「口」形状のフレーム体を形成し、そのフレーム体が相互に嵌合され、嵌合後に両側の適する高さで一体に枢設する折畳み式バーベキューグリルスタンドにおいて、グリルスタンドのひとつのフレーム体最上端近くに枢設孔を、別のフレーム体最上端には係止孔を設置し、焼き網の周辺両端には枢設柱を凸設し、グリルスタンドのフレーム体の最上端近くに設置した枢設孔と枢設し、その位置の相対する周辺両端に各々下向きの掛合い体を設置し、グリルスタンドの別のフレーム体最上端に設置した係止孔と相互に掛合いして定位することを特徴とする折畳み式バーベキューグリルスタンド。
【請求項２】
請求項１記載の折畳み式バーベキューグリルスタンドにおいて、前記グリルスタンドは、その二つのフレーム体最上端下方箇所に跨越桿を横向で木炭納置槽を跨ぎ、その上に定位することを特徴とする折畳み式バーベキューグリルスタンド。
【請求項３】
請求項１記載の折畳み式バーベキューグリルスタンドにおいて、前記グリルスタンドは、横方向に長くして、その二つのフレーム体最上端には跨越桿をそれぞれ設置し、ひとつの跨越桿最上端両側に定位孔を設置し、別の跨越桿両側は反転し、その末端は下向きの掛合い体が設置され、跨越桿最上端に設置した定位孔と定位桿を掛合いし、跨越桿最上面に数枚の焼き網を置くことを特徴とする折畳み式バーベキューグリルスタンド。
【請求項４】
請求項１記載の折畳み式バーベキューグリルスタンドにおいて、前記グリルスタンドは、二つのフレーム体枢設箇所に於いて、ひとつのフレーム体が別のフレーム体下方に定位塊を固定することを特徴とする折畳み式バーベキューグリルスタンド。
【考案の詳細な説明】
【技術分野】
【０００１】
本考案は、折畳み式バーベキューグリルスタンドに関するもので、使用しない時には折り畳んで空間を節約し、使用時は構造が安定するものである。
【背景技術】
【０００２】
現在、週休二日制が普及し、郊外へハイキングに出かける人が増えており、更に家族でもしくは友人らと出かけることも多い。旅行やハイキングの際、必ずしも外食産業に頼るわけでもなく、バーベキューをすることも多い。台湾では特に中秋節に一家を挙げてバーベキューをするのが習慣になりつつある。つまり焼肉は今や国民行事である。相対してこの焼肉に使用するバーベキューグリルスタンドが初めて作られた時、如何にしてコストを抑え、全体の構造を小さくするかに問題が絞られ、包装材、運搬コスト、在庫空間の節約だけであったが、現在はそれに加えて構造が安定し、使用者の安全を確保するものが求められている。
【考案の開示】
【考案が解決しようとする課題】
【０００３】
本考案の主な目的は、グリルスタンドと焼き網から構成され、グリルスタンドは二つの「∪」字型フレーム体から構成され、その二つのフレーム体を相互に嵌合し、嵌合後両側の適する高さで一体に枢設する。二つのフレーム体を前後に開くと、グリルスタンドはＸ形状になる。グリルスタンドの内のひとつのフレーム体は最上端箇所近くに枢設孔を設置し、別のフレーム体最上端には係止孔が設置される。焼き網の周辺両端には枢設柱が凸設され、それをグリルスタンドのひとつのフレーム体の最上端近くに設置した枢設孔に枢設して一体にする。その位置の相対する周辺両端には下向きの掛合い体が設置され、グリルスタンドの別のフレーム体に設置した係止孔と相互に掛合いして定位する。
【課題を解決するための手段】
【０００４】
請求項１の考案は、焼き網とグリルスタンドから構成され、そのうちグリルスタンドは二つの「口」形状のフレーム体を形成し、そのフレーム体が相互に嵌合され、嵌合後に両側の適する高さで一体に枢設する折畳み式バーベキューグリルスタンドにおいて、グリルスタンドのひとつのフレーム体最上端近くに枢設孔を設置し、別のフレーム体最上端には係止孔を設置し、焼き網の周辺両端には枢設柱を凸設し、グリルスタンドのフレーム体の最上端近くに設置した枢設孔と枢設し、その位置の相対する周辺両端に各々下向きの掛合い体を設置し、グリルスタンドの別のフレーム体最上端に設置した係止孔と相互に掛合いして定位することを特徴とする折畳み式バーベキューグリルスタンドとしている。
請求項２の考案は、請求項１記載の折畳み式バーベキューグリルスタンドにおいて、前記グリルスタンドは、その二つのフレーム体最上端下方箇所に跨越桿を横向で木炭納置槽を跨ぎ、その上に定位することを特徴とする折畳み式バーベキューグリルスタンドとしている。
請求項３の考案は、請求項１記載の折畳み式バーベキューグリルスタンドにおいて、前記グリルスタンドは、横方向に長くして、その二つのフレーム体最上端には跨越桿をそれぞれ設置し、ひとつの跨越桿最上端両側に定位孔を設置し、別の跨越桿両側は反転し、その末端は下向きの掛合い体が設置され、跨越桿最上端に設置した定位孔と定位桿を掛合いし、跨越桿最上面に数枚の焼き網を置くことを特徴とする折畳み式バーベキューグリルスタンドとしている。
請求項４の考案は、請求項１記載の折畳み式バーベキューグリルスタンドにおいて、前記グリルスタンドは、二つのフレーム体枢設箇所に於いて、ひとつのフレーム体が別のフレーム体下方に定位塊を固定することを特徴とする折畳み式バーベキューグリルスタンドとしている。
【考案の効果】
【０００５】
本考案の折畳み式バーベキューグリルスタンドは、このグリルスタンドを使用しない時には、折り畳むことができ、包装材を節約し、運送コストを節約する他に広げた時、構造全体が安定しているという利点がある。
【考案を実施するための最良の形態】
【０００６】
図１、２、３及び図４に示すとおり、本考案のバーベキューグリルスタンドは主にグリルスタンド２及び焼き網３から構成される。そのうち、グリルスタンド２は、二つの「口」の字型のフレーム体２１，２２から構成され、この二つのフレーム体２１、２２は相互に交錯し、相互に嵌合する。嵌合後、両側の適度な高さの箇所に各々結合栓２３で枢設して一体にする。この二つのフレーム体２１，２２が前後に開いた時、グリルスタンドは安定性のあるＸ形状になる。グリルスタンド２のフレーム体２１の最上端に近い位置には枢設孔２１１が貫設され、別のフレーム体２２最上端には係止孔２２１が設置され、焼き網３の周辺３１両端には枢設柱３１１が設置され、グリルスタンド２フレーム体２１最上端近くに設置された枢設孔２１１と共に枢設され、焼き網３とフレーム体２１が一体になる。更に焼き網３全体を枢設開閉する。その相対する周辺３２両端には下向きの掛合い鈎体３２１がそれぞれ設置され、グリルスタンド２の別フレーム体２２最上端に設置された係止孔２２１と相互に掛合いして定位する（図１参照）。最後に二つのフレーム体２１，２２の最上端の適する位置に跨越桿２１２、２２２を横向に設置して木炭設置槽４底端をその上に定置させる（図４参照）。
【０００７】
グリルスタンド製造者が製造組立を完成した時、グリルスタンド２の両フレーム体２１，２２が掛合いされて適度な高さに結合栓２３でそれらが一体になる他に、折り畳んで扁平状にでき、焼き網３の周辺３１両端に突出した枢設柱３１１とグリルスタンド２のフレーム体２１最上端に設置下枢設孔２１１によって一体化し、焼き網３を上向きに回転させ（図２、図３参照）、フレーム体２１上段箇所に合わせ、最後にフレーム体２１上段外側の回転定位片２１３を回転させて掛合いする。焼き網３をフレーム体２１上段箇所に定位させることで全体折畳み構造が向上する。
【０００８】
使用時、回転定位片２１３を開いて動かし、グリルスタンド２を直接開き、グリルスタンド２の二つのフレーム体２１、２２をＸ形状に形成する。続いて焼き網３を上向きに拡げ、その周辺３２両端は下向きの掛合い鍵体３２１とグリルスタンド２の別のフレーム体２２の最上端に設置した係止孔２２１を相互に掛合い定位し（図１参照）、最後に、木炭設置槽４底端を二つのフレーム体２１，２２の最上端の適する位置に横に設置した跨越桿２１２、２２２を設置すると、グリルスタンド２の二個のフレーム体２１、２２を開いた時、Ｘ形状になる。更に焼き網２上に焼き物を置いた重量によって下方向へ力が働き、それをＸ形状のフレーム体２１、２２が受けるので、焼いている間、非常に安定する。
【０００９】
図６に示すとおり、バーベキューをする人数が多い場合、グリルスタンド２を横長に伸ばし、フレーム体２１、２２最上端に於いて跨越桿２１４、２２３を分設する。そのうちのひとつの跨越桿２２３最上端両側に定位孔２２４を設置し、別の跨越桿２１４の両側が反転動作できるように枢設する。その末端には下向きの掛合い体２１５と跨越桿２２３最上端に設置した定位孔２２４は掛合い定位する定位桿２１６となり、同様に使用する時にはグリルスタンド２を開くと、グリルスタンド２の二つのフレーム体２１、２２がＸ形状を形成し、跨越桿２１４最上端両側に枢設した定位桿２１６末端に設置された掛合い体２１５を跨越桿２２３最上端両側に設置した定位孔２２４に定位させる。木炭納置槽４底端を二つのフレーム体２１、２２最上端下方の適する位置に横向に設置した跨越桿２１２、２２２で跨ぎ、最後に跨越桿２１４、２２３最上面に直接焼き網５をのせ、バーベキューに使用する。
【００１０】
別に図５に示すとおり、グリルスタンド２を広げる時、グリルスタンド２の二つのフレーム体２１、２２が結合栓２３で枢設する箇所に於いて、フレーム体２１が別フレーム体２２下方に位置し、定位塊２１７を固定し、二つのフレーム体２１、２２がＸ形状を形成する時、二つのフレーム体２１、２２は結合栓２３の枢設箇所で確実なＸ形状を形成し、二つのフレーム体２１２２が下へ下がってしまうのを防止する。
【図面の簡単な説明】
【００１１】
【図１】本考案の構造立体組立外観表示図である。（開いた状態）
【図２】本考案の構造実施操作表示図である。
【図３】本考案の構造立体組立外観表示図である。（閉じた状態）
【図４】本考案の構造立体実施外観表示図である。
【図５】本考案の構造組立表示図である。
【図６】本考案の構造別実施立体外観表示図である。
【符号の説明】
【００１２】
２        グリルスタンド
２１      フレーム体
２１１    枢設孔
２１２    跨越桿
２１３    回転定位片
２１４    跨越桿
２１５    掛合い体
２１６    定位塊
２１７    定位塊
２２      フレーム体
２２１    係止孔
２２２    跨越桿
２２３    跨越桿
２２４    定位孔
２３      結合栓
３        焼き網
３１      周辺
３１１    枢設柱
３２      周辺
３２１    掛合い鈎体
４        木炭設置槽
５        焼き網
【図１】
0003123191.tif 000003
【図２】
0003123191.tif 000004
【図３】
0003123191.tif 000005
【図４】
0003123191.tif 000006
【図５】
0003123191.tif 000007
【図６】
0003123191.tif 000008